(57)【要約】      （修正有）【課題】拡大レンズの位置や観察対象物との距離調整が簡単で使い勝手を改善した拡大レンズ付き装身具を提供する。【解決手段】物を拡大して見るための拡大レンズ７と、人体の一部を通すことで装着するための円又は円弧形状の装着部３とを備える拡大レンズ付き装身具１であって拡大レンズの周辺部を縁取る拡大レンズ枠体と、拡大レンズ枠体の一部に拡大レンズの位置及び角度を調整する位置角度調整部と、拡大レンズ及び装着部をまとめて固定する留め具１３とをさらに備え、装着部と、拡大レンズ枠体と、位置角度調整部と、拡大レンズとが順に支柱１１に接続されている。【選択図】図１
0003197864.tif 000002
【実用新案登録請求の範囲】
【請求項１】
物を拡大して見るための拡大レンズと、人体の一部を通すことで装着するための環又は円弧形状の装着部とを備える拡大レンズ付き装身具であって
前記拡大レンズの周辺を縁取る拡大レンズ枠体と、
前記拡大レンズ枠体の一部に前記拡大レンズの位置及び角度を調整する位置角度調整部と、
前記拡大レンズ及び前記装着部をまとめて固定する留め具とをさらに備え、
前記装着部と、前記拡大レンズ枠体と、前記位置角度調整部と、前記拡大レンズとが順に接続されており、
前記拡大レンズ枠体は、少なくとも一部が前記拡大レンズに対して脱着可能であるように構成されている、拡大レンズ付き装身具。
【請求項２】
前記位置角度調整部を複数備える、請求項１記載の拡大レンズ付き装身具。
【請求項３】
前記装着部に固定された鏡をさらに備え、
前記装着部、前記鏡及び前記拡大レンズが順に重なる構造であり、
前記留め具は、前記鏡もまとめて固定する、請求項１又は２記載の拡大レンズ付き装身具。
【請求項４】
前記拡大レンズ及び前記鏡を覆うカバーをさらに備え、
前記位置角度調整部は、ボールジョイントであり、
前記鏡は、凹面鏡であり、
前記留め具は、前記カバーもまとめて固定する、請求項３記載の拡大レンズ付き装身具。
【考案の詳細な説明】
【技術分野】
【０００１】
本考案は、物を拡大して観察するための拡大レンズを備える指輪やブレスレット等の装身具に関する。
【背景技術】
【０００２】
従来、近視・老視等が原因で手元の物が見づらい場合や、例えば裁縫で針に糸を通す作業のように微細な物を見る必要がある場合には、老眼鏡や手持ち式ルーペ等が用いられてきた。
【０００３】
ただし、老眼鏡や手持ち式ルーペは、近くのものを見る際に限定的に用いる物であるため、常に携帯又は装着していることは少ない。また、老眼鏡は傍目から老けた感じがするとして、特に女性は外出先での使用を敬遠しがちでもある。
【０００４】
これまでに、拡大レンズを指輪に固定した拡大レンズ付き指輪も提案されている。例えば、指輪の台座と平行に回転引き出し可能にルーペが収納されている指輪が提案されている（特許文献１参照）。また、指輪部分とケースリングと拡大レンズとが互いに蝶番で接続されて回転引出し可能な指輪も知られている（特許文献２参照）。
【０００５】
拡大レンズ付き指輪は、手持ち式ルーペや老眼鏡ほど嵩張らず、使用していても目立たない。そのため、外出先でも人目を気にせずに使用することができる。
【先行技術文献】
【特許文献】
【０００６】
【特許文献１】特開２００６−３０５２７５号公報
【特許文献２】特開２００５−０４３８４８号公報
【考案の概要】
【考案が解決しようとする課題】
【０００７】
ただし、拡大レンズ付き指輪の携帯性を確保するためには、拡大レンズを小型に抑える必要がある。そのため、ピントを合わせる前にまず、観察対象物、拡大レンズ及び観察者の目の３点を適切に配置する作業に、手持ち式ルーペ等よりも手間がかかっていた。なお、指にはめた状態では、指輪に固定された拡大レンズと観察物を接近させることができる距離に限界がある。そのため、顔の方で指輪との距離を調節したり、指輪を指から外して拡大レンズを使用せざるを得ない場合もある。
【０００８】
このように、拡大レンズ付き指輪の使い勝手は、十分とはいえない点があった。
【０００９】
そこで、本考案は、拡大レンズの使い勝手を改善する拡大レンズ付き装身具を提供することを目的とする。
【課題を解決するための手段】
【００１０】
本考案の第１の観点は、物を拡大して見るための拡大レンズと、人体の一部を通すことで装着するための環又は円弧形状の装着部とを備える拡大レンズ付き装身具であって前記拡大レンズの周辺を縁取る拡大レンズ枠体と、前記拡大レンズ枠体の一部に前記拡大レンズの位置及び角度を調整する位置角度調整部と、前記拡大レンズ及び前記装着部をまとめて固定する留め具とをさらに備え、前記装着部と、前記拡大レンズ枠体と、前記位置角度調整部と、前記拡大レンズとが順に接続されており、前記拡大レンズ枠体は、少なくとも一部が前記拡大レンズに対して脱着可能であるように構成されている、拡大レンズ付き装身具である。
【００１１】
本考案の第２の観点は、第１の観点の拡大レンズ付き装身具であって、前記位置角度調整部を複数備える。
【００１２】
本考案の第３の観点は、第１又は第２の観点の拡大レンズ付き装身具であって、前記装着部に固定された鏡をさらに備え、前記装着部、前記鏡及び前記拡大レンズが順に重なる構造であり、前記留め具は、前記鏡もまとめて固定する。
【００１３】
本考案の第４の観点は、第３の観点の拡大レンズ付き装身具であって、前記拡大レンズ及び前記鏡を覆うカバーをさらに備え、前記位置角度調整部は、ボールジョイントであり、前記鏡は、凹面鏡であり、前記留め具は、前記カバーもまとめて固定する。
【考案の効果】
【００１４】
本考案の各観点によると、装身具を外すことなく装着したままの状態で、拡大レンズの位置に加えて角度を容易に調節できる。そのため、拡大レンズ側の調整自由度が広がり、顔を動かしたりする不便が抑えられる。したがって、拡大レンズの使い勝手を改善可能となる。
【００１５】
また、位置角度調整部を備えて角度の自由度が増大したことで拡大レンズの収納時に不安定になりかねない。しかし、本考案に係る装身具は、拡大レンズ及び装着部をまとめて固定する留め具を備える。そのため、拡大レンズを容易に安定して収納することが可能となる。
【００１６】
さらに、本考案の第２の観点によると、拡大レンズが、拡大レンズ枠体に沿って多段階に移動可能となる。また、装着部に接続したままであるため、手を使わずに移動させた拡大レンズの位置を保持可能である。そのため、拡大レンズの使い勝手をさらに改善可能となる。
【００１７】
さらに、本考案の第３の観点によると、前記鏡及び前記拡大レンズの組合せが凹面鏡の代わりとなり、例えば自分の目元を拡大して見ることができる。このため、凹面鏡ではなく平坦な鏡を用いる分、製造コストを低減することが可能となる。
【００１８】
さらに、本考案の第４の観点によると、ボールジョイントにより拡大レンズの位置角度調整がさらに容易となる。また、鏡として凹面鏡を用いることにより、さらに自分の目元を拡大して見ることが容易となる。この場合、拡大レンズと凹面鏡を重ねずとも目元の確認が容易となる。さらに、不使用時にはカバーで覆うことができ、光を集光させてしまう拡大レンズ及び凹面鏡への入射光を遮断することが可能となる。
【図面の簡単な説明】
【００１９】
【図１】本考案に係る凸レンズ付き指輪の概要を示す図であり、（ａ）全体の斜視図、（ｂ）支柱側からの側面図、（ｃ）留め具側からの側面図、及び、（ｄ）指にはめた状態を示す図である。
【図２】本考案に係るルーペ部の概要を示す図であり、（ａ）収納時の形状、（ｂ）凸レンズを１段階引き出した場合の形状、及び、（ｃ）凸レンズを２段階引き出した場合の形状を示す図である。
【考案を実施するための形態】
【００２０】
以下、図面を参照して、本考案の実施例について述べる。なお、本考案の実施の形態は、以下の実施例に限定されるものではない。
【実施例】
【００２１】
図１は、本考案に係る凸レンズ付き指輪１（本願請求項における「拡大レンズ付き装身具」の一例である）の概要を示す図であり、（ａ）全体の斜視図、（ｂ）支柱側からの側面図、（ｃ）留め具側からの側面図、及び、（ｄ）指にはめた状態を示す図である。
【００２２】
図１を参照して、凸レンズ付き指輪１は、指にはめて装着するための円形の環部３（本願請求項における「装着部」の一例である。）、カバー５（本願請求項における「カバー」の一例である。）、ルーペ部７、凹面鏡９（本願請求項における「鏡」及び「凹面鏡」の一例である。）、支柱１１及び留め具１３（本願請求項における「留め具」の一例である。）を備える。環部３、凹面鏡９、ルーペ部７及びカバー５は、順に重なる構造となっている。また、支柱１１は、カバー５及びルーペ部７を環部３に連結させている。留め具１３は、ルーペ部７の収納時に、カバー５、ルーペ部７及び凹面鏡９をまとめて環部３に固定する。
【００２３】
カバー５は、ルーペ部７及び凹面鏡９の保護としての役割だけでなく、入射光を遮断する役割も担っている。ルーペ部７の不使用時にルーペ部７や凹面鏡９を覆い、入射光を遮断することで、ルーペ部７や凹面鏡９の集光で引き起こされる収れん火災を防ぐことができる。特に、装身具に係る本考案では、ルーペ部７や凹面鏡９が露出された状態だと、人体上に光が集光することによって火傷するおそれがある。そのため、カバー５を備えることは特に重要である。
【００２４】
続いて、図２を参照して、ルーペ部７について述べる。図２は、本考案に係るルーペ部の概要を示す図であり、（ａ）収納時の形状、（ｂ）凸レンズを１段階引き出した場合の形状、及び、（ｃ）凸レンズを２段階引き出した場合の形状を示す図である。
【００２５】
ルーペ部７は、図２（ａ）及び（ｂ）に示すように、凸レンズ１５（本願請求項における「拡大レンズ」の一例である。）及び凸レンズ枠体１７（本願請求項における「拡大レンズ枠体」の一例である。）を有する。凸レンズ枠体１７は、図２（ａ）に示すように凸レンズ１５の側面を縁取った形状をしている。凸レンズ枠体１７は、支柱連結部２５、第１枠体２１、第１ボールジョイント部１９（本考案の請求項の「位置角度調整部」及び「ボールジョイント」の一例である。）、第２枠体２３及び第２ボールジョイント部２７（本願請求項における「位置角度調整部」及び「ボールジョイント」の一例である。）を有する。ここで、支柱１１、支柱連結部２５、第１枠体２１、第１ボールジョイント部１９、第２枠体２３、第２ボールジョイント部２７、凸レンズ１５は、順に接続されている。
【００２６】
第１枠体２１及び第２枠体２３は、凸レンズ１５側面に接しているが固定されていない。そのため、図２（ｂ）に示すように、第１ボールジョイント部１９を回転中心にして、矢印の方向に凸レンズ１５を回転させることができる。さらに、図２（ｃ）に示すように、第２ボールジョイント部２７を回転中心にして、矢印の方向に凸レンズ１５を回転させることができる。これにより、凸レンズ１５が、凸レンズ枠体１７に沿って多段階に移動可能となる。指輪を指にはめたままでも凸レンズ１５を観察対象物に近づけることが可能である。
【００２７】
また、第１ボールジョイント部１９や第２ボールジョイント部２７で凸レンズ１５を３次元的に所望の角度に傾斜させることができる。これにより、観察対象物をより観察しやすくなる。
【００２８】
凹面鏡９は、自分の目元を拡大して見るために使用する。凸レンズ付き指輪１が凹面鏡を備えることで、凹面鏡を常に身に着けておくことができる。そのため、突然目にゴミが入った時や外出先でアイメークをする時などに、すぐに凹面鏡を使用することができ、便利である。
【００２９】
支柱１１は、カバー５及びルーペ部７を環部３に完全に固定するのではなく、カバー５及びルーペ部７それぞれが回転できる状態で環部３に連結させている。そのため、カバー５やルーペ部７は、不使用時には留め具１３によって所定の位置に完全に固定される。
【００３０】
なお、本考案の実施の形態は、上記実施例のように指輪に限定されるものではない。装身具としての大きさを適宜調節し、ブレスレットやネックレス等の装身具として用いてもよい。
【００３１】
また、環部は、人体の一部を通すことで装着できればよい。完全につながった環形状である必要はなく、例えば、一部切り欠けのある形状や円弧形状であってもよい。本実施例で示した環部に代わるデザインとして、従来の指輪や腕輪等のデザインを用いることができる。
【００３２】
さらに、ルーペ部は、凸レンズを３段階以上に進展できるように、ボールジョイント部を必要なだけ備えるものであってもよい。この場合、凸レンズ枠体は、収納時に凸レンズの周囲を２周以上取り囲む長さであってもよい。
【００３３】
さらに、凸レンズの代わりに拡大レンズの役割を果たすものを用いてもよい。例えば、凸レンズではなくフレネルレンズを用いてもよい。
【符号の説明】
【００３４】
１  凸レンズ付き指輪、３  環部、５  カバー、７  ルーペ部、９  凹面鏡、１１  支柱、１３  留め具、１５  凸レンズ、１７  凸レンズ枠体、１９  第１ボールジョイント部、２１  第１枠体、２３  第２枠体、２５  支柱連結部、２７  第２ボールジョイント部
【図１】
0003197864.tif 000003
【図２】
0003197864.tif 000004